(57)【特許請求の範囲】
【請求項１】
各群がそれぞれ１つ以上のレンズからなる複数のレンズ群の少なくとも一部を沈胴させてレンズ群を収納する沈胴状態から、前記複数のレンズ群の少なくとも一部を対物側に移動することにより撮影状態とするレンズ鏡胴において、
前記複数のレンズ群のうちの１つのレンズ群を支持するレンズ保持枠と、
前記レンズ保持枠を内在させ且つ回転動作により前記レンズ保持枠を光軸方向に進退移動させる第１の回転筒と、
前記レンズ保持枠の回転を規制する直進溝を有し、該直進溝によって前記レンズ保持枠の回転を阻止し且つ光軸に沿う進退移動を許容する第１のライナ部材と、
を具備し、
前記撮影状態にあるときに、前記第１のライナ部材に対して外周側から当接して前記第１のライナ部材を一側方から他側方に向けて押圧付勢する付勢部材を備えることを特徴とするレンズ鏡胴。
【請求項２】
沈胴状態において、前記第１の回転筒と、前記第１のライナ部材と、前記レンズ保持枠を内部に収納する第１の鏡筒をさらに備え、
前記第１のライナ部材は、像側の端部近傍の外周に突出するカムフォロワを備え、
前記第１の鏡筒の内周部には、前記第１のライナ部材のカムフォロワに係合する直進溝を備え、
前記付勢部材は、前記第１の鏡筒と一体的に設けられているとともに、前記撮影状態にあるときに、前記カムフォロワの突出端部に当接して前記第１のライナ部材を一側方から他側方に向けて押圧付勢することを特徴とする請求項１記載のレンズ鏡胴。
【請求項３】
前記第１の鏡筒は、前記カムフォロワが係合する前記直進溝の底面部で且つ前記撮影状態にあるときに前記カムフォロワが位置する部位近傍に貫通窓を備えており、
前記付勢部材は、基端部および先端部を有し、前記基端部は、前記第１の鏡筒の外周側に保持され、且つ前記先端部は、前記貫通窓を通して前記カムフォロワの突出端部に当接することを特徴とする請求項２に記載のレンズ鏡胴。
【請求項４】
各群がそれぞれ１つ以上のレンズからなる複数のレンズ群の少なくとも一部を沈胴させてレンズ群を収納する沈胴状態から、前記複数のレンズ群の少なくとも一部を対物側に移動することにより撮影状態とするレンズ鏡胴において、
前記複数のレンズ群のうちの１つのレンズ群を支持するレンズ保持枠と、
前記レンズ保持枠に設けられる第１のカムフォロワと、
前記第１のカムフォロワに係合し且つ回転動作により前記レンズ保持枠を光軸方向に進退移動させる第１のカム溝を有する第１の回転筒と、
前記第１のカムフォロワに係合して前記レンズ保持枠の回転を規制する第１の直進溝を有し、前記レンズ保持枠の回転を阻止し且つ光軸に沿う進退移動を許容する第１のライナ部材と、
前記第１の回転筒に設けられた第２のカムフォロワと、
前記第１のライナ部材に設けられた第３のカムフォロワと、
前記第２のカムフォロワに係合し且つ回転動作により前記第１の回転筒を光軸方向に進退移動させる第２の直線溝を有する第２の回転筒と、
前記第３のカムフォロワに係合して前記第１のライナ部材の回転を規制する第３の直進溝を有し、前記第１のライナ部材の回転を阻止し且つ光軸に沿う進退移動を許容する第２のライナ部材と、
前記第２の回転筒に設けられた第１のヘリコイド部と、
前記第２のライナ部材に設けられた第４のカムフォロワと、
前記第１のヘリコイド部に係合し且つ前記第２の回転筒を回転させることにより前記第２の回転筒を光軸方向に進退移動させる第２のヘリコイド部を有するとともに、前記第４のカムフォロワに係合して前記第２のライナ部材の回転を規制する第４の直進溝を有し、前記第２のライナ部材の回転を阻止し且つ光軸に沿う進退移動を許容する固定枠と、
を具備し、
前記第２のライナ部材と一体的に設けられ、且つ、前記撮影状態にあるときに、前記第３のカムフォロワに対して外周側から当接して前記第１のライナ部材を一側方から他側方に向けて押圧付勢する第１の付勢部材と、前記固定枠と一体的に設けられ、且つ、前記撮影状態にあるときに、前記第４のカムフォロワに対して外周側から当接して前記第２のライナ部材を一側方から他側方に向けて押圧付勢する第２の付勢部材とのうちの少なくとも一方を備えることを特徴とするレンズ鏡胴。
【請求項５】
前記第２のライナ部材は、前記第３のカムフォロワが係合する前記第３の直進溝の底面部で且つ前記撮影状態にあるときに前記第３のカムフォロワが位置する部位近傍に第１の貫通窓を備えており、
前記第１の付勢部材は、基端部および先端部を有し、前記基端部は前記第２のライナ部材の外周側に保持され、且つ前記先端部は、前記第１の貫通窓を通して前記第３のカムフォロワに当接することを特徴とする請求項４に記載のレンズ鏡胴。
【請求項６】
前記第２のライナ部材は、前記第１の貫通窓の近傍の外周面に凹所が形成されており、
前記第１の付勢部材は、基端部が前記凹所に嵌合し且つ前記第２の回転筒との間で挟持される板ばねであることを特徴とする請求項５に記載のレンズ鏡胴。
【請求項７】
前記固定枠は、前記第４のカムフォロワが係合する前記第４の直進溝の底面部で且つ前記撮影状態にあるときに前記第４のカムフォロワが位置する部位近傍に第２の貫通窓を備えており、
前記第２の付勢部材は、基端部および先端部を有し、前記基端部は前記固定枠の外周側に保持され、且つ前記先端部は、前記第２の貫通窓を通して前記第４のカムフォロワに当接することを特徴とする請求項４に記載のレンズ鏡胴。
【請求項８】
前記付勢部材は、沈胴状態にあるときには、前記押圧付勢の対象となるライナ部材から離間することを特徴とする請求項１〜請求項７のいずれか１項に記載のレンズ鏡胴。
【請求項９】
前記付勢部材は、基端部から先端部にわたって折曲形成された板ばねであることを特徴とする請求項１〜請求項８のいずれか１項に記載のレンズ鏡胴。
【請求項１０】
各群がそれぞれ１つ以上のレンズからなる複数のレンズ群の少なくとも一部を沈胴させてレンズ群を収納する沈胴状態から、前記複数のレンズ群の少なくとも一部を対物側に移動することにより撮影状態とするレンズ鏡胴において、
前記複数のレンズ群のうちの１つのレンズ群を支持し、前記撮影状態では、前記複数のレンズ群の少なくとも一部の対物側への移動により形成される空間内で且つ前記複数のレンズ群のうちの他のレンズ群と共通の光軸上に当該レンズ群を進入させるとともに、前記沈胴状態では当該レンズ群を前記共通の光軸外に退避させるレンズ保持枠と、
前記レンズ保持枠によって支持される前記レンズ群の前記共通の光軸への進入位置を規制すべく前記レンズ保持枠の動作範囲を規制する位置規制手段とを具備し、
前記撮影状態にあるときに、前記レンズ保持枠に対して前記光軸外の退避位置側から当接して前記レンズ保持枠を一側方から他側方に向けて押圧付勢する付勢部材を備えることを特徴とするレンズ鏡胴。
【請求項１１】
前記位置規制手段は、前記共通の光軸方向に実質的に平行に配置された副軸であり、
前記レンズ保持枠は、前記共通の光軸外に前記レンズ群を退避させた退避位置から前記共通の光軸方向に平行な軸線を軸として前記副軸に当接するまで回動し、前記副軸に当接してから前記副軸に沿って前記共通の光軸方向に平行に移動して撮影状態とし、前記副軸に当接した撮影状態から前記副軸に沿って前記共通の光軸方向に平行に移動し退避開始位置に達してから前記共通の光軸方向に平行な軸線を軸として前記副軸から離れる方向に回動して前記共通の光軸外に退避する動作行程を有し、
前記付勢部材は、前記レンズ保持枠の前記副軸に当接した状態での該副軸に沿う前記共通の光軸方向の移動に関連し、前記撮影状態となる前記撮影位置を含む範囲においてのみ、前記レンズ保持枠を前記副軸側に付勢する部材であることを特徴とする請求項１０に記載のレンズ鏡胴。
【請求項１２】
前記付勢部材は、前記レンズ保持枠の前記副軸に当接した状態で、該副軸に沿う前記共通の光軸方向の移動により、前記撮影状態となる前記撮影位置を含む範囲においてのみ前記レンズ保持枠に当接して、前記レンズ保持枠を前記副軸側に押圧付勢する板ばねであることを特徴とする請求項１１に記載のレンズ鏡胴。
【請求項１３】
各群がそれぞれ１つ以上のレンズからなる複数のレンズ群の少なくとも一部を沈胴させてレンズ群を収納する沈胴状態から、前記複数のレンズ群の少なくとも一部を対物側に移動することにより撮影状態とするレンズ鏡胴において、
前記複数のレンズ群のうちの１つのレンズ群を支持する第１のレンズ保持枠と、
前記第１のレンズ保持枠を内在させ且つ回転動作により前記第１のレンズ保持枠を光軸方向に進退移動させる第１の回転筒と、
前記第１のレンズ保持枠の回転を規制する直進溝を有し、該直進溝によって前記レンズ保持枠の回転を阻止し且つ光軸に沿う進退移動を許容する第１のライナ部材と、
を具備し、
前記撮影状態にあるときに、前記第１のライナ部材に対して外周側から当接して前記第１のライナ部材を一側方から他側方に向けて押圧付勢する第１の付勢部材を備えるとともに、
前記複数のレンズ群のうちの他の１つのレンズ群を支持し、前記撮影状態では、前記複数のレンズ群の少なくとも一部の対物側への移動により形成される空間内で且つ前記複数のレンズ群のうちのその他のレンズ群と共通の光軸上に当該レンズ群を進入させるとともに、前記沈胴状態では当該レンズ群を前記共通の光軸外に退避させる第２のレンズ保持枠と、
前記第２のレンズ保持枠によって支持される前記レンズ群の前記共通の光軸への進入位置を規制すべく前記第２のレンズ保持枠の動作範囲を規制する位置規制手段とを具備し、
前記撮影状態にあるときに、前記第２のレンズ保持枠に対して前記光軸外の退避位置側から当接して前記第２のレンズ保持枠を一側方から他側方に向けて押圧付勢する第２の付勢部材を備えることを特徴とするレンズ鏡胴。
【請求項１４】
撮影用光学系として、請求項１〜請求項１３のいずれか１項のレンズ鏡胴を用いた光学系を含むことを特徴とするカメラ。
【請求項１５】
カメラ機能部を有し、且つ前記カメラ機能部の撮影用光学系として、請求項１〜請求項１３のいずれか１項のレンズ鏡胴を用いた光学系を含むことを特徴とする携帯型情報端末装置。
【発明の詳細な説明】
【技術分野】
【０００１】
本発明は、いわゆる沈胴式のレンズ鏡胴に係り、特に偏心感度の高い高性能レンズを使用する場合に好適なレンズ鏡胴、カメラおよび携帯型情報端末装置に関するものである。
【背景技術】
【０００２】
ディジタルカメラ等の撮像装置においては、撮影画像の高品質化、つまりレンズの高性能化およびユーザの要求による小型化等の進展に伴い、撮影時以外にレンズ鏡筒が撮像装置本体内に収納される、いわゆる沈胴式の撮影レンズを用いるものが増加している。さらには、単なる小型化ではなく、より一層の薄型化の要求により、沈胴収納状態でのレンズ鏡胴部分の厚み寸法を極限にまで減らすことが重要となってきている。
このような撮像装置の高性能化および薄型化の要求に対処する技術として、撮影時にレンズの位置を規制することで、偏心感度の高いレンズを用いても画像の劣化を抑える技術がある。このようにすることによって、高性能で且つ薄型のレンズ鏡胴を実現することが可能となる。そのために、従来より種々の提案がなされており、例えば特許文献１等に示されている。
特許文献１（特開２０００−２７５４９５号）では、カム環に形成された溝部または穴部でカム溝を形成し、カム溝に隣接して開口された複数穴によって形成されるバネ手段によって、カム溝にカムフォロワを挟持する保持力を発揮させることで、レンズ群の位置を規制可能とする技術が開示されている。  
ところで、特許文献１に開示された技術は、カム溝の他にバネ手段としてカム溝を弾性変形させるための穴を複数形成するため、カム枠の大きさが増大して、沈胴状態での厚みが増大してしまう。しかも特許文献１に開示された技術は、カム溝とカムフォロワとの間のガタによりレンズ位置の精度が劣化するのを防ぐために、カム溝とカムフォロワを密着させてレンズ位置を規制しようとするものである。この特許文献１に限らず、レンズ位置精度を向上させるための従来の技術のほとんどは、レンズの光軸方向またはレンズの光軸まわりの回転角度位置の位置精度を向上しようとするものであった。
しかしながら、沈胴式のレンズ系等のように、各群がそれぞれ１つ以上のレンズからなる複数のレンズ群の少なくとも一部を光軸方向に沿って進退移動する場合には、移動を可能とするために、可動部分に、ある程度の遊びが存在する。レンズ群の数が多くなり、レンズ群の動作が複雑になればなるほど、レンズ保持枠のみならず、カム筒、回転筒やライナ部材（直進筒）等の相対的に移動する可動部分の数が増え、レンズ系全体での遊びの大きさが累積的に大きくなる。そのため、撮影状態においてレンズ系を伸長した状態でレンズ系の少なくとも一部が本来の光軸に対して傾斜してしまったり、レンズ群相互間の光軸位置のずれを生じたりすることによって、予定した光学性能を維持することができなくなるおそれがある。しかも、これらの傾斜の大きさおよび傾斜方向が、そのレンズ系を用いているカメラ等の向き（構え方）、すなわち横位置（横持ち）か、縦位置（縦持ち）か、どちらの向きの縦位置（縦持ち）か、などによって変動し、レンズ系が本来有している光学性能を充分に発揮することができないことがある。
【０００３】
また、撮影状態から沈胴状態とするのに、レンズ系の一部を光軸外に退避させ、それによって空いた光軸上の空間を利用して他のレンズを収容して沈胴効果を高めて沈胴状態とするレンズ系も開発されている。このレンズ系では、沈胴状態から撮影状態とするのに、沈胴状態から光軸上のレンズ群を撮影位置に移動させ、それによって空いた光軸上の空間に光軸外に退避していた一部のレンズ系を進入させ全体の光軸位置を揃えて撮影状態とする。このようなレンズ系においては、光軸内と光軸外との間で移動する１つ以上のレンズからなるレンズ群を保持するレンズ保持枠が、光軸上での移動のみのレンズ系に関する可動部分の動作範囲に比して三次元的に広い範囲で動作することとなる。このように光軸方向以外の方向の移動を伴うため、光軸位置のずれ、あるいは光軸に直交する方向の遊びが大きくなりがちであり、可動部分の遊びの大きさが方向によって異なったり、レンズ系の向きやレンズ系の移動方向によっては弱い力で光軸位置のずれを生じたりするおそれもある。
【０００４】
【特許文献１】特開２０００−２７５４９５号公報
【発明の開示】
【発明が解決しようとする課題】
【０００５】
本発明は、上述した事情に鑑みてなされたもので、沈胴によるコンパクト化を充分に達成しつつ、簡単な構成で撮影状態におけるレンズ群の位置および姿勢を適切に規制して良好な画像を得ることを可能とするレンズ鏡胴、カメラおよび携帯型情報端末装置を提供することを目的としている。
本発明の請求項１の目的は、特に、光軸方向に移動するレンズ群について、簡単な構成で撮影状態におけるレンズ群の位置および姿勢を適切に規制し、沈胴時の寸法を増大させることなくレンズ性能の向上および取得画像の画質の向上を可能とするレンズ鏡胴を提供することにある。
本発明の請求項２の目的は、特に、光軸方向に移動するレンズ群について、簡単な構成で、鏡筒摺動部を損傷することなく、撮影状態におけるレンズ群の位置および姿勢を適切に規制することを可能とするレンズ鏡胴を提供することにある。
本発明の請求項３の目的は、特に、光軸方向に移動するレンズ群について、簡単な構成で、スペースの増大を招くことなく、撮影状態におけるレンズ群の位置および姿勢を適切に規制することを可能とするレンズ鏡胴を提供することにある。
【０００６】
本発明の請求項４の目的は、特に、光軸方向に移動するレンズ群について、多段の沈胴構成に対しても簡単な構成で撮影状態におけるレンズ群の位置および姿勢を適切に且つ効果的に規制し、沈胴時の寸法を増大させることなくレンズ性能の向上および取得画像の画質の向上を可能とするレンズ鏡胴を提供することにある。
本発明の請求項５の目的は、特に、光軸方向に移動するレンズ群について、多段の沈胴構成に対しても簡単な構成で、スペースの増大をほとんど招くことなく、撮影状態におけるレンズ群の位置および姿勢を適切に規制することを可能とするレンズ鏡胴を提供することにある。
本発明の請求項６の目的は、特に、光軸方向に移動するレンズ群について、多段の沈胴構成に対しても簡単な構成で、スペースの増大をほとんど招くことなく、撮影状態におけるレンズ群の位置および姿勢を適切に且つ効果的に規制することを可能とするレンズ鏡胴を提供することにある。
本発明の請求項７の目的は、特に、光軸方向に移動するレンズ群について、多段の沈胴構成に対しても簡単な構成で、スペースの増大をほとんど招くことなく、撮影状態におけるレンズ群の位置および姿勢を一層適切に規制することを可能とするレンズ鏡胴を提供することにある。
【０００７】
本発明の請求項８の目的は、特に、光軸方向に移動するレンズ群について、さらに簡単な構成で撮影状態におけるレンズ群の位置および姿勢を適切に規制し、沈胴時の寸法を増大させることなくレンズ性能の向上および取得画像の画質の向上を可能とするレンズ鏡胴を提供することにある。
本発明の請求項９の目的は、特に、光軸方向に移動するレンズ群について、さらに簡易で且つ簡単な構成で撮影状態におけるレンズ群の位置および姿勢を適切に規制し、沈胴時の寸法を増大させることなくレンズ性能の向上および取得画像の画質の向上を可能とするレンズ鏡胴を提供することにある。
本発明の請求項１０の目的は、特に、光軸に接離する方向に移動するレンズ群について、簡単な構成で撮影状態におけるレンズ群の位置および姿勢を適切に規制し、沈胴時の寸法を増大させることなくレンズ性能の向上および取得画像の画質の向上を可能とするレンズ鏡胴を提供することにある。
本発明の請求項１１の目的は、特に、光軸に接離する方向に移動するレンズ群について、簡単な構成で、撮影状態におけるレンズ群の位置および姿勢を適切に規制することを可能とするレンズ鏡胴を提供することにある。
【０００８】
本発明の請求項１２の目的は、特に、光軸に接離する方向に移動するレンズ群について、さらに簡単な構成で、スペースの増大をほとんど招くことなく、撮影状態におけるレンズ群の位置および姿勢を適切に規制することを可能とするレンズ鏡胴を提供することにある。
本発明の請求項１３の目的は、特に、光軸方向に移動するレンズ群および光軸に接離する方向に移動するレンズ群について、簡単な構成で撮影状態におけるレンズ群の位置および姿勢を適切に規制し、沈胴時の寸法を増大させることなくレンズ性能の向上および取得画像の画質の向上を可能とするレンズ鏡胴を提供することにある。
本発明の請求項１４の目的は、特に、簡単な構成で撮影状態におけるレンズ群の位置および姿勢の少なくとも一方を適切に規制し、沈胴時の寸法を増大させることなくレンズ性能の向上および取得画像の画質の向上を可能とするカメラを提供することにある。
本発明の請求項１５の目的は、特に、簡単な構成で撮影状態におけるカメラ機能部のレンズ群の位置および姿勢の少なくとも一方を適切に規制し、沈胴時の寸法を増大させることなくレンズ性能の向上および取得画像の画質の向上を可能とする携帯型情報端末装置を提供することにある。
【課題を解決するための手段】
【０００９】
請求項１に記載した本発明に係るレンズ鏡胴は、上述した目的を達成するために、
各群がそれぞれ１つ以上のレンズからなる複数のレンズ群の少なくとも一部を沈胴させてレンズ群を収納する沈胴状態から、前記複数のレンズ群の少なくとも一部を対物側に移動することにより撮影状態とするレンズ鏡胴において、
前記複数のレンズ群のうちの１つのレンズ群を支持するレンズ保持枠と、
前記レンズ保持枠を内在させ且つ回転動作により前記レンズ保持枠を光軸方向に進退移動させる第１の回転筒と、
前記レンズ保持枠の回転を規制する直進溝を有し、該直進溝によって前記レンズ保持枠の回転を阻止し且つ光軸に沿う進退移動を許容する第１のライナ部材と、
を具備し、
前記撮影状態にあるときに、前記第１のライナ部材に対して外周側から当接して前記第１のライナ部材を一側方から他側方に向けて押圧付勢する付勢部材を備えることを特徴としている。
【００１０】
請求項２に記載した本発明に係るレンズ鏡胴は、請求項１のレンズ鏡胴であって、
沈胴状態において、前記第１の回転筒と、前記第１のライナ部材と、前記レンズ保持枠を内部に収納する第１の鏡筒をさらに備え、
前記第１のライナ部材は、像側の端部近傍の外周に突出するカムフォロワを備え、
前記第１の鏡筒の内周部には、前記第１のライナ部材のカムフォロワに係合する直進溝を備え、
前記付勢部材は、前記第１の鏡筒と一体的に設けられているとともに、前記撮影状態にあるときに、前記カムフォロワの突出端部に当接して前記第１のライナ部材を一側方から他側方に向けて押圧付勢することを特徴としている。
請求項３に記載した本発明に係るレンズ鏡胴は、請求項２のレンズ鏡胴であって、
前記第１の鏡筒は、前記カムフォロワが係合する前記直進溝の底面部で且つ前記撮影状態にあるときに前記カムフォロワが位置する部位近傍に貫通窓を備えており、
前記付勢部材は、基端部および先端部を有し、前記基端部は、前記第１の鏡筒の外周側に保持され、且つ前記先端部は、前記貫通窓を通して前記カムフォロワの突出端部に当接することを特徴としている。
【００１１】
請求項４に記載した本発明に係るレンズ鏡胴は、上述した目的を達成するために、
各群がそれぞれ１つ以上のレンズからなる複数のレンズ群の少なくとも一部を沈胴させてレンズ群を収納する沈胴状態から、前記複数のレンズ群の少なくとも一部を対物側に移動することにより撮影状態とするレンズ鏡胴において、
前記複数のレンズ群のうちの１つのレンズ群を支持するレンズ保持枠と、
前記レンズ保持枠に設けられる第１のカムフォロワと、
前記第１のカムフォロワに係合し且つ回転動作により前記レンズ保持枠を光軸方向に進退移動させる第１のカム溝を有する第１の回転筒と、
前記第１のカムフォロワに係合して前記レンズ保持枠の回転を規制する第１の直進溝を有し、前記レンズ保持枠の回転を阻止し且つ光軸に沿う進退移動を許容する第１のライナ部材と、
前記第１の回転筒に設けられた第２のカムフォロワと、
前記第１のライナ部材に設けられた第３のカムフォロワと、
前記第２のカムフォロワに係合し且つ回転動作により前記第１の回転筒を光軸方向に進退移動させる第２の直線溝を有する第２の回転筒と、
前記第３のカムフォロワに係合して前記第１のライナ部材の回転を規制する第３の直進溝を有し、前記第１のライナ部材の回転を阻止し且つ光軸に沿う進退移動を許容する第２のライナ部材と、
前記第２の回転筒に設けられた第１のヘリコイド部と、
前記第２のライナ部材に設けられた第４のカムフォロワと、
前記第１のヘリコイド部に係合し且つ前記第２の回転筒を回転させることにより前記第２の回転筒を光軸方向に進退移動させる第２のヘリコイド部を有するとともに、前記第４のカムフォロワに係合して前記第２のライナ部材の回転を規制する第４の直進溝を有し、前記第２のライナ部材の回転を阻止し且つ光軸に沿う進退移動を許容する固定枠と、
を具備し、
前記第２のライナ部材と一体的に設けられ、且つ、前記撮影状態にあるときに、前記第３のカムフォロワに対して外周側から当接して前記第１のライナ部材を一側方から他側方に向けて押圧付勢する第１の付勢部材と、前記固定枠と一体的に設けられ、且つ、前記撮影状態にあるときに、前記第４のカムフォロワに対して外周側から当接して前記第２のライナ部材を一側方から他側方に向けて押圧付勢する第２の付勢部材とのうちの少なくとも一方を備えることを特徴としている。
【００１２】
請求項５に記載した本発明に係るレンズ鏡胴は、請求項４のレンズ鏡胴であって、
前記第２のライナ部材は、前記第３のカムフォロワが係合する前記第３の直進溝の底面部で且つ前記撮影状態にあるときに前記第３のカムフォロワが位置する部位近傍に第１の貫通窓を備えており、
前記第１の付勢部材は、基端部および先端部を有し、前記基端部は前記第２のライナ部材の外周側に保持され、且つ前記先端部は、前記第１の貫通窓を通して前記第３のカムフォロワに当接することを特徴としている。
請求項６に記載した本発明に係るレンズ鏡胴は、請求項５のレンズ鏡胴であって、
前記第２のライナ部材は、前記第１の貫通窓の近傍の外周面に凹所が形成されており、
前記第１の付勢部材は、基端部が前記凹所に嵌合し且つ前記第２の回転筒との間で挟持される板ばねであることを特徴としている。
請求項７に記載した本発明に係るレンズ鏡胴は、請求項４のレンズ鏡胴であって、
前記固定枠は、前記第４のカムフォロワが係合する前記第４の直進溝の底面部で且つ前記撮影状態にあるときに前記第４のカムフォロワが位置する部位近傍に第２の貫通窓を備えており、
前記第２の付勢部材は、基端部および先端部を有し、前記基端部は前記固定枠の外周側に保持され、且つ前記先端部は、前記第２の貫通窓を通して前記第４のカムフォロワに当接することを特徴としている。
【００１３】
請求項８に記載した本発明に係るレンズ鏡胴は、請求項１〜請求項７のいずれか１項のレンズ鏡胴であって、
前記付勢部材は、沈胴状態にあるときには、前記押圧付勢の対象となるライナ部材から離間することを特徴としている。
請求項９に記載した本発明に係るレンズ鏡胴は、請求項１〜請求項８のいずれか１項のレンズ鏡胴であって、
前記付勢部材は、基端部から先端部にわたって折曲形成された板ばねであることを特徴としている。
請求項１０に記載した本発明に係るレンズ鏡胴は、上述した目的を達成するために、
各群がそれぞれ１つ以上のレンズからなる複数のレンズ群の少なくとも一部を沈胴させてレンズ群を収納する沈胴状態から、前記複数のレンズ群の少なくとも一部を対物側に移動することにより撮影状態とするレンズ鏡胴において、
前記複数のレンズ群のうちの１つのレンズ群を支持し、前記撮影状態では、前記複数のレンズ群の少なくとも一部の対物側への移動により形成される空間内で且つ前記複数のレンズ群のうちの他のレンズ群と共通の光軸上に当該レンズ群を進入させるとともに、前記沈胴状態では当該レンズ群を前記共通の光軸外に退避させるレンズ保持枠と、
前記レンズ保持枠によって支持される前記レンズ群の前記共通の光軸への進入位置を規制すべく前記レンズ保持枠の動作範囲を規制する位置規制手段とを具備し、
前記撮影状態にあるときに、前記レンズ保持枠に対して前記光軸外の退避位置側から当接して前記レンズ保持枠を一側方から他側方に向けて押圧付勢する付勢部材を備えることを特徴としている。
【００１４】
請求項１１に記載した本発明に係るレンズ鏡胴は、請求項１０のレンズ鏡胴であって、
前記位置規制手段は、前記共通の光軸方向に実質的に平行に配置された副軸であり、
前記レンズ保持枠は、前記共通の光軸外に前記レンズ群を退避させた退避位置から前記共通の光軸方向に平行な軸線を軸として前記副軸に当接するまで回動し、前記副軸に当接してから前記副軸に沿って前記共通の光軸方向に平行に移動して撮影状態とし、前記副軸に当接した撮影状態から前記副軸に沿って前記共通の光軸方向に平行に移動し退避開始位置に達してから前記共通の光軸方向に平行な軸線を軸として前記副軸から離れる方向に回動して前記共通の光軸外に退避する動作行程を有し、
前記付勢部材は、前記レンズ保持枠の前記副軸に当接した状態での該副軸に沿う前記共通の光軸方向の移動に関連し、前記撮影状態となる前記撮影位置を含む範囲においてのみ、前記レンズ保持枠を前記副軸側に付勢する部材であることを特徴としている。
【００１５】
請求項１２に記載した本発明に係るレンズ鏡胴は、請求項１１のレンズ鏡胴であって、
前記付勢部材は、前記レンズ保持枠の前記副軸に当接した状態で、該副軸に沿う前記共通の光軸方向の移動により、前記撮影状態となる前記撮影位置を含む範囲においてのみ前記レンズ保持枠に当接して、前記レンズ保持枠を前記副軸側に押圧付勢する板ばねであることを特徴としている。
【００１６】
請求項１３に記載した本発明に係るレンズ鏡胴は、上述した目的を達成するために、
各群がそれぞれ１つ以上のレンズからなる複数のレンズ群の少なくとも一部を沈胴させてレンズ群を収納する沈胴状態から、前記複数のレンズ群の少なくとも一部を対物側に移動することにより撮影状態とするレンズ鏡胴において、
前記複数のレンズ群のうちの１つのレンズ群を支持する第１のレンズ保持枠と、
前記第１のレンズ保持枠を内在させ且つ回転動作により前記第１のレンズ保持枠を光軸方向に進退移動させる第１の回転筒と、
前記第１のレンズ保持枠の回転を規制する直進溝を有し、該直進溝によって前記レンズ保持枠の回転を阻止し且つ光軸に沿う進退移動を許容する第１のライナ部材と、
を具備し、
前記撮影状態にあるときに、前記第１のライナ部材に対して外周側から当接して前記第１のライナ部材を一側方から他側方に向けて押圧付勢する第１の付勢部材を備えるとともに、
前記複数のレンズ群のうちの他の１つのレンズ群を支持し、前記撮影状態では、前記複数のレンズ群の少なくとも一部の対物側への移動により形成される空間内で且つ前記複数のレンズ群のうちのその他のレンズ群と共通の光軸上に当該レンズ群を進入させるとともに、前記沈胴状態では当該レンズ群を前記共通の光軸外に退避させる第２のレンズ保持枠と、
前記第２のレンズ保持枠によって支持される前記レンズ群の前記共通の光軸への進入位置を規制すべく前記第２のレンズ保持枠の動作範囲を規制する位置規制手段とを具備し、
前記撮影状態にあるときに、前記第２のレンズ保持枠に対して前記光軸外の退避位置側から当接して前記第２のレンズ保持枠を一側方から他側方に向けて押圧付勢する第２の付勢部材を備える
ことを特徴としている。
【００１７】
請求項１４に記載した本発明に係るカメラは、
撮影用光学系として、請求項１〜請求項１３のいずれか１項のレンズ鏡胴を用いた光学系を含むことを特徴としている。
請求項１５に記載した本発明に係る携帯型情報端末装置は、
カメラ機能部を有し、且つ
前記カメラ機能部の撮影用光学系として、請求項１〜請求項１３のいずれか１項のレンズ鏡胴を用いた光学系を含むことを特徴としている。
【発明の効果】
【００１８】
本発明によれば、沈胴によるコンパクト化を充分に達成しつつ、簡単な構成で撮影状態におけるレンズ群の位置および姿勢を適切に規制して良好な画像を得ることを可能とするレンズ鏡胴、カメラおよび携帯型情報端末装置を提供することができる。
【００１９】
すなわち本発明の請求項１のレンズ鏡胴によれば、
各群がそれぞれ１つ以上のレンズからなる複数のレンズ群の少なくとも一部を沈胴させてレンズ群を収納する沈胴状態から、前記複数のレンズ群の少なくとも一部を対物側に移動することにより撮影状態とするレンズ鏡胴において、
前記複数のレンズ群のうちの１つのレンズ群を支持するレンズ保持枠と、
前記レンズ保持枠を内在させ且つ回転動作により前記レンズ保持枠を光軸方向に進退移動させる第１の回転筒と、
前記レンズ保持枠の回転を規制する直進溝を有し、該直進溝によって前記レンズ保持枠の回転を阻止し且つ光軸に沿う進退移動を許容する第１のライナ部材と、
を具備し、
前記撮影状態にあるときに、前記第１のライナ部材に対して外周側から当接して前記第１のライナ部材を一側方から他側方に向けて押圧付勢する付勢部材を備えることにより、
特に、光軸方向に移動するレンズ群について、簡単な構成で撮影状態におけるレンズ群の位置および姿勢を適切に規制し、沈胴時の寸法を増大させることなくレンズ性能の向上および取得画像の画質の向上を達成することが可能となる。
【００２０】
本発明の請求項２のレンズ鏡胴によれば、請求項１のレンズ鏡胴において、
沈胴状態で、前記第１の回転筒と、前記第１のライナ部材と、前記レンズ保持枠を内部に収納する第１の鏡筒をさらに備え、
前記第１のライナ部材は、像側の端部近傍の外周に突出するカムフォロワを備え、
前記第１の鏡筒の内周部には、前記第１のライナ部材のカムフォロワに係合する直進溝を備え、
前記付勢部材は、前記第１の鏡筒と一体的に設けられているとともに、前記撮影状態にあるときに、前記カムフォロワの突出端部に当接して前記第１のライナ部材を一側方から他側方に向けて押圧付勢することにより、
特に、撮影位置のみ付勢力を作用させているので、起動・収納時間や電池消耗を最低限に抑えることができ、また、光軸方向に移動するレンズ群について、簡単な構成で、鏡筒摺動部を損傷することなく、撮影状態におけるレンズ群の位置および姿勢を適切に規制することが可能となる。
【００２１】
本発明の請求項３のレンズ鏡胴によれば、請求項２のレンズ鏡胴において、
前記第１の鏡筒は、前記カムフォロワが係合する前記直進溝の底面部で且つ前記撮影状態にあるときに前記カムフォロワが位置する部位近傍に貫通窓を備えており、
前記付勢部材は、基端部および先端部を有し、前記基端部は、前記第１の鏡筒の外周側に保持され、且つ前記先端部は、前記貫通窓を通して前記カムフォロワの突出端部に当接することにより、
特に、光軸方向に移動するレンズ群について、簡単な構成で、スペースの増大を招くことなく、撮影状態におけるレンズ群の位置および姿勢を適切に規制することが可能となる。
【００２２】
本発明の請求項４のレンズ鏡胴によれば、
各群がそれぞれ１つ以上のレンズからなる複数のレンズ群の少なくとも一部を沈胴させてレンズ群を収納する沈胴状態から、前記複数のレンズ群の少なくとも一部を対物側に移動することにより撮影状態とするレンズ鏡胴において、
前記複数のレンズ群のうちの１つのレンズ群を支持するレンズ保持枠と、
前記レンズ保持枠に設けられる第１のカムフォロワと、
前記第１のカムフォロワに係合し且つ回転動作により前記レンズ保持枠を光軸方向に進退移動させる第１のカム溝を有する第１の回転筒と、
前記第１のカムフォロワに係合して前記レンズ保持枠の回転を規制する第１の直進溝を有し、前記レンズ保持枠の回転を阻止し且つ光軸に沿う進退移動を許容する第１のライナ部材と、
前記第１の回転筒に設けられた第２のカムフォロワと、
前記第１のライナ部材に設けられた第３のカムフォロワと、
前記第２のカムフォロワに係合し且つ回転動作により前記第１の回転筒を光軸方向に進退移動させる第２の直線溝を有する第２の回転筒と、
前記第３のカムフォロワに係合して前記第１のライナ部材の回転を規制する第３の直進溝を有し、前記第１のライナ部材の回転を阻止し且つ光軸に沿う進退移動を許容する第２のライナ部材と、
前記第２の回転筒に設けられた第１のヘリコイド部と、
前記第２のライナ部材に設けられた第４のカムフォロワと、
前記第１のヘリコイド部に係合し且つ前記第２の回転筒を回転させることにより前記第２の回転筒を光軸方向に進退移動させる第２のヘリコイド部を有するとともに、前記第４のカムフォロワに係合して前記第２のライナ部材の回転を規制する第４の直進溝を有し、前記第２のライナ部材の回転を阻止し且つ光軸に沿う進退移動を許容する固定枠と、
を具備し、
前記第２のライナ部材と一体的に設けられ、且つ、前記撮影状態にあるときに、前記第３のカムフォロワに対して外周側から当接して前記第１のライナ部材を一側方から他側方に向けて押圧付勢する第１の付勢部材と、前記固定枠と一体的に設けられ、且つ、前記撮影状態にあるときに、前記第４のカムフォロワに対して外周側から当接して前記第２のライナ部材を一側方から他側方に向けて押圧付勢する第２の付勢部材とのうちの少なくとも一方を備えることにより、
特に、光軸方向に移動するレンズ群について、多段の沈胴構成に対しても簡単な構成で撮影状態におけるレンズ群の位置および姿勢を適切に且つ効果的に規制し、沈胴時の寸法を増大させることなくレンズ性能の向上および取得画像の画質の向上を達成することが可能となる。
【００２３】
本発明の請求項５のレンズ鏡胴によれば、請求項４のレンズ鏡胴において、
前記第２のライナ部材は、前記第３のカムフォロワが係合する前記第３の直進溝の底面部で且つ前記撮影状態にあるときに前記第３のカムフォロワが位置する部位近傍に第１の貫通窓を備えており、
前記第１の付勢部材は、基端部および先端部を有し、前記基端部は前記第２のライナ部材の外周側に保持され、且つ前記先端部は、前記第１の貫通窓を通して前記第３のカムフォロワに当接する構成とすることにより、
特に、光軸方向に移動するレンズ群について、多段の沈胴構成に対しても簡単な構成で、スペースの増大をほとんど招くことなく、撮影状態におけるレンズ群の位置および姿勢を適切に規制することが可能となる。
【００２４】
本発明の請求項６のレンズ鏡胴によれば、請求項５のレンズ鏡胴において、
前記第２のライナ部材は、前記第１の貫通窓の近傍の外周面に凹所が形成されており、
前記第１の付勢部材は、基端部が前記凹所に嵌合し且つ前記第２の回転筒との間で挟持される板ばねであることにより、
特に、光軸方向に移動するレンズ群について、多段の沈胴構成に対しても簡単な構成で、スペースの増大をほとんど招くことなく、撮影状態におけるレンズ群の位置および姿勢を適切に且つ効果的に規制することが可能となる。
【００２５】
本発明の請求項７のレンズ鏡胴によれば、請求項４のレンズ鏡胴において、
前記固定枠は、前記第４のカムフォロワが係合する前記第４の直進溝の底面部で且つ前記撮影状態にあるときに前記第４のカムフォロワが位置する部位近傍に第２の貫通窓を備えており、
前記第２の付勢部材は、基端部および先端部を有し、前記基端部は前記固定枠の外周側に保持され、且つ前記先端部は、前記第２の貫通窓を通して前記第４のカムフォロワに当接する構成とすることにより、
特に、光軸方向に移動するレンズ群について、多段の沈胴構成に対しても簡単な構成で、スペースの増大をほとんど招くことなく、撮影状態におけるレンズ群の位置および姿勢を一層適切に規制することが可能となる。
【００２６】
本発明の請求項８のレンズ鏡胴によれば、請求項１〜請求項７のいずれか１項のレンズ鏡胴において、
前記付勢部材は、沈胴状態にあるときには、前記押圧付勢の対象となるライナ部材から離間する構成とすることにより、
特に、光軸方向に移動するレンズ群について、さらに簡単な構成で撮影状態におけるレンズ群の位置および姿勢を適切に規制し、撮影状態から沈胴状態への移行中の付勢部材による摺設ロスを回避し、さらに沈胴時の寸法を増大させることなくレンズ性能の向上および取得画像の画質の向上を達成することが可能となる。
【００２７】
本発明の請求項９のレンズ鏡胴によれば、請求項１〜請求項８のいずれか１項のレンズ鏡胴において、
前記付勢部材は、基端部から先端部にわたって折曲形成された板ばねであることにより、
特に、光軸方向に移動するレンズ群について、さらに簡易で且つ簡単な構成で撮影状態におけるレンズ群の位置および姿勢を適切に規制し、沈胴時の寸法を増大させることなくレンズ性能の向上および取得画像の画質の向上を達成することが可能となる。
【００２８】
本発明の請求項１０のレンズ鏡胴によれば、
各群がそれぞれ１つ以上のレンズからなる複数のレンズ群の少なくとも一部を沈胴させてレンズ群を収納する沈胴状態から、前記複数のレンズ群の少なくとも一部を対物側に移動することにより撮影状態とするレンズ鏡胴において、
前記複数のレンズ群のうちの１つのレンズ群を支持し、前記撮影状態では、前記複数のレンズ群の少なくとも一部の対物側への移動により形成される空間内で且つ前記複数のレンズ群のうちの他のレンズ群と共通の光軸上に当該レンズ群を進入させるとともに、前記沈胴状態では当該レンズ群を前記共通の光軸外に退避させるレンズ保持枠と、
前記レンズ保持枠によって支持される前記レンズ群の前記共通の光軸への進入位置を規制すべく前記レンズ保持枠の動作範囲を規制する位置規制手段とを具備し、
前記撮影状態にあるときに、前記レンズ保持枠に対して前記光軸外の退避位置側から当接して前記レンズ保持枠を一側方から他側方に向けて押圧付勢する付勢部材を備えることにより、
特に、光軸に接離する方向に移動するレンズ群について、簡単な構成で撮影状態におけるレンズ群の位置および姿勢を適切に規制し、沈胴時の寸法を増大させることなくレンズ性能の向上および取得画像の画質の向上を達成することが可能となる。
【００２９】
本発明の請求項１１のレンズ鏡胴によれば、請求項１０のレンズ鏡胴において、
前記位置規制手段は、前記共通の光軸方向に実質的に平行に配置された副軸であり、
前記レンズ保持枠は、前記共通の光軸外に前記レンズ群を退避させた退避位置から前記共通の光軸方向に平行な軸線を軸として前記副軸に当接するまで回動し、前記副軸に当接してから前記副軸に沿って前記共通の光軸方向に平行に移動して撮影状態とし、前記副軸に当接した撮影状態から前記副軸に沿って前記共通の光軸方向に平行に移動し退避開始位置に達してから前記共通の光軸方向に平行な軸線を軸として前記副軸から離れる方向に回動して前記共通の光軸外に退避する動作行程を有し、
前記付勢部材は、前記レンズ保持枠の前記副軸に当接した状態での該副軸に沿う前記共通の光軸方向の移動に関連し、前記撮影状態となる前記撮影位置を含む範囲においてのみ、前記レンズ保持枠を前記副軸側に付勢する部材であることにより、
特に、光軸に接離する方向に移動するレンズ群について、簡単な構成で、撮影状態におけるレンズ群の位置および姿勢を適切に規制することが可能となる。
【００３０】
本発明の請求項１２のレンズ鏡胴によれば、請求項１１のレンズ鏡胴において、
前記付勢部材は、前記レンズ保持枠の前記副軸に当接した状態で、該副軸に沿う前記共通の光軸方向の移動により、前記撮影状態となる前記撮影位置を含む範囲においてのみ前記レンズ保持枠に当接して、前記レンズ保持枠を前記副軸側に押圧付勢する板ばねであることにより、
特に、光軸に接離する方向に移動するレンズ群について、さらに簡単な構成で、スペースの増大をほとんど招くことなく、撮影状態におけるレンズ群の位置および姿勢を適切に規制することが可能となる。
【００３１】
本発明の請求項１３のレンズ鏡胴によれば、
各群がそれぞれ１つ以上のレンズからなる複数のレンズ群の少なくとも一部を沈胴させてレンズ群を収納する沈胴状態から、前記複数のレンズ群の少なくとも一部を対物側に移動することにより撮影状態とするレンズ鏡胴において、
前記複数のレンズ群のうちの１つのレンズ群を支持する第１のレンズ保持枠と、
前記第１のレンズ保持枠を内在させ且つ回転動作により前記第１のレンズ保持枠を光軸方向に進退移動させる第１の回転筒と、
前記第１のレンズ保持枠の回転を規制する直進溝を有し、該直進溝によって前記レンズ保持枠の回転を阻止し且つ光軸に沿う進退移動を許容する第１のライナ部材と、
を具備し、
前記撮影状態にあるときに、前記第１のライナ部材に対して外周側から当接して前記第１のライナ部材を一側方から他側方に向けて押圧付勢する第１の付勢部材を備えるとともに、
前記複数のレンズ群のうちの他の１つのレンズ群を支持し、前記撮影状態では、前記複数のレンズ群の少なくとも一部の対物側への移動により形成される空間内で且つ前記複数のレンズ群のうちのその他のレンズ群と共通の光軸上に当該レンズ群を進入させるとともに、前記沈胴状態では当該レンズ群を前記共通の光軸外に退避させる第２のレンズ保持枠と、
前記第２のレンズ保持枠によって支持される前記レンズ群の前記共通の光軸への進入位置を規制すべく前記第２のレンズ保持枠の動作範囲を規制する位置規制手段とを具備し、
前記撮影状態にあるときに、前記第２のレンズ保持枠に対して前記光軸外の退避位置側から当接して前記第２のレンズ保持枠を一側方から他側方に向けて押圧付勢する第２の付勢部材を備えることにより、
特に、光軸方向に移動するレンズ群および光軸に接離する方向に移動するレンズ群について、簡単な構成で撮影状態におけるレンズ群の位置および姿勢を適切に規制し、沈胴時の寸法を増大させることなくレンズ性能の向上および取得画像の画質の向上を達成することが可能となる。
【００３２】
本発明の請求項１４のカメラによれば、
撮影用光学系として、請求項１〜請求項１３のいずれか１項のレンズ鏡胴を用いた光学系を含むことにより、
特に、簡単な構成で撮影状態におけるレンズ群の位置および姿勢の少なくとも一方を適切に規制し、沈胴時の寸法を増大させることなくレンズ性能の向上および取得画像の画質の向上を達成することが可能となる。
本発明の請求項１５の携帯型情報端末装置によれば、
カメラ機能部を有し、且つ
前記カメラ機能部の撮影用光学系として、請求項１〜請求項１３のいずれか１項のレンズ鏡胴を用いた光学系を含むことにより、
特に、簡単な構成で撮影状態におけるカメラ機能部のレンズ群の位置および姿勢の少なくとも一方を適切に規制し、沈胴時の寸法を増大させることなくレンズ性能の向上および取得画像の画質の向上を達成することが可能となる。
【発明を実施するための最良の形態】
【００３３】
以下、本発明に係る実施の形態に基づき、図面を参照して本発明のレンズ鏡胴、カメラおよび携帯型情報端末装置を説明する。
図１〜図１３は、本発明の一つの実施の形態に係るレンズ鏡胴の構成を示している。図１は、レンズ鏡胴全体の撮影状態における外観構成を示す斜視図、図２は、図１のレンズ鏡胴の光軸を含む断面における縦断面図、図３は、図１のレンズ鏡胴の要部を分解して示す分解斜視図、図４は、第１の板ばねの配置を説明するため、第３のレンズ保持枠が撮影位置にあるときの図１のレンズ鏡胴の主要な可動部分を像面側から見た斜視図、図５は、第２の板ばねの取り付け状態を説明するため、図４の可動部分から最外周の第２の回転筒および第３のレンズ保持枠を除去した状態をやや側方から見た斜視図、図６は、第２の板ばねの配置を説明するため、図４から最外周の第２のライナ１９を除去した状態を示す斜視図、図７は、第２の板ばねの形状を詳細に示す外側から見た斜視図、図８は、第２の板ばねの形状を詳細に示す内側から見た斜視図、図９は、第３の板ばねの配置を説明するため、第３のレンズ保持枠が撮影位置にあるときの図１のレンズ鏡胴の固定枠を含む主要な部分を像面側から見た斜視図、図１０は、第３の板ばねの配置を説明するため、第３のレンズ保持枠がほぼ撮影位置の後方像面側にあるときの第３のレンズ保持枠の動作に関連する部分の配置構成を示す斜視図、図１１は、第３の板ばねの配置を説明するため、第３のレンズ保持枠が撮影位置にあるときの第３のレンズ保持枠の動作に関連する部分の配置構成を示す斜視図、図１２は、第３のレンズ保持枠が摺接する面を図示下方とし被写体側を図示右方として第３の板ばねの形状を詳細に示す斜視図、そして図１３は、第３のレンズ保持枠が摺接する面を図示下方とし被写体側を図示左方として第３の板ばねの形状を詳細に示す斜視図である。
【００３４】
図１〜図１３に示すレンズ鏡胴は、第１のレンズ群１１、第２のレンズ群１２、第３のレンズ群１３、シャッタユニット１４、第１のレンズ保持枠１５、第２のレンズ保持枠１６、第３のレンズ保持枠１７、第１の回転筒１８、第１のライナ１９、第２の回転筒２０、第２のライナ２１、固定枠２２、鏡胴ベース２３、押さえ部材３１、前カバー３２，主ガイド軸３３、副ガイド軸３４、リードスクリュー３５、雌ねじ部材３６、圧縮トーションスプリング３７、第１の板ばね５１、第２の板ばね５２および第３の板ばね５３を具備している。
主として図１〜図３を参照してこの実施の形態のレンズ鏡胴の主要な部分の具体的な構成を説明する。図１および図２は、撮影状態の様子を示しており、この撮影状態において、第１のレンズ群１１、第２のレンズ群１２および第３のレンズ群１３は、物体側から順次配列されるとともに、第２のレンズ群１２と第３のレンズ群１３の間に、絞りを含むシャッタユニット１４が、挿入配置され、第３のレンズ群１３の像側には、例えばＣＣＤ（電荷結合素子）を用いて構成される固体撮像素子４１が、鏡胴ベース２３に支持されて配置される。これら第１のレンズ群１１〜第３のレンズ群１３は、例えば焦点距離固定の単焦点レンズを構成する。
【００３５】
第１のレンズ群１１は、１枚以上のレンズ（この実施の形態にあっては、２枚のレンズ）からなり、第１のレンズ保持枠１５が該第１のレンズ群１１を一体的に保持している。この第１のレンズ保持枠１５には、この場合基端部の外周面に、例えば３個のカムフォロワ１５ａを突設している（なお、カムフォロワ、カム溝、直進溝等は、同様の機能のものが複数、例えばこの場合３つまた２つずつ１組として設けられているが、全てが図示されているわけではないので、混乱を避けるために共通の機能を果たしている複数個については共通の参照符号を付して示している）。
第２のレンズ群１２は、１枚以上のレンズ（この実施の形態にあっては、１枚のレンズ）からなり、第２のレンズ保持枠１６が該第２のレンズ群１２を一体的に保持している。この第２のレンズ保持枠１６には、この場合外周面に、例えば３個のカムフォロワ１６ａを突設している。シャッタユニット１４は、シャッタおよび絞りを有しており、やはり外周面に、例えば３個のカムフォロワ１４ａを突設している。第１の回転筒１８の基端部の外周には、例えば２個のカムフォロワ１８ａを突設し、これらカムフォロワ１８ａの間の部分にさらにカムフォロワとしてのヘリコイド部１８ｂを設けている。第１のライナ１９の基端部の外周面に、例えば２個のカムフォロワ１９ａを突設している。第２の回転筒２０の基端部の外周面の適宜範囲には、カムフォロワとしてのヘリコイド部２０ａおよび回転駆動力を受けるギヤ部２０ｂを形成している。第２のライナ２１には、基端部の外周面に、例えば３個のカムフォロワ２１ａを突設している。
【００３６】
第３のレンズ群１３は、１枚以上のレンズ（この実施の形態にあっては、３枚のレンズ）からなり、第３のレンズ保持枠１７が該第３のレンズ群１３を一体的に保持している。
【００３７】
第１のレンズ保持枠１５、第２のレンズ保持枠１６およびシャッタユニット１４の外側には、ライナ部材としての第１のライナ１９を設けており、この第１のライナ１９の外側には、第１の回転筒１８を設けている。さらに、第１の回転筒１８の外側には、第２のライナ２１を設けており、この第２のライナ２１の外側には、第２の回転筒２０を設けており、さらに第２の回転筒２０の外側には、固定枠２２を設けている。これら第１のレンズ保持枠１５、第２のレンズ保持枠１６およびシャッタユニット１４と、第１のライナ１９と、第１の回転筒１８と、第２のライナ２１と、第２の回転筒２０と、固定枠２２とは、実質的に同軸上に且つ隣接するもの同士は相対的に摺動可能として設けられており、さらに第１のライナ１９と第１の回転筒１８は、光軸方向については一体的に動作するとともに回転方向については相対的に回転可能として互いに係合しており、第２のライナ２１と第２の回転筒２０も、光軸方向については一体的に動作するとともに回転方向については相対的に回転可能として互いに係合している。
【００３８】
第１のライナ１９の円筒周面には、第１のレンズ保持枠１５の３個のカムフォロワ１５ａに対応する３本の光軸方向に平行な直進貫通溝１９ｂ、ならびにこの場合第２のレンズ保持枠１６の３個のカムフォロワ１６ａおよびシャッタユニット１４の３個のカムフォロワ１４ａに共通に対応する３本の光軸方向に平行な直進貫通溝１９ｃが設けられている。
【００３９】
第１のライナ１９に設けられている３本の直進貫通溝１９ｂは、第１のレンズ保持枠１５の回転を規制する貫通溝を形成し、且つ３本の直進貫通溝１９ｃは、第２のレンズ保持枠１６およびシャッタユニット１４の回転を規制する貫通溝を形成している。第１の回転筒１８の内周面には、第１のレンズ保持枠１５の３個のカムフォロワ１５ａに対応する３本のカム溝１８ｃ、ならびにこの場合第２のレンズ保持枠１６の３個のカムフォロワ１６ａおよびシャッタユニット１４の３個のカムフォロワ１４ａにそれぞれ対応する３本のカム溝１８ｄおよび３本のカム溝１８ｅが設けられている。第１の回転筒１８の内周面の３本のカム溝１８ｃは、それぞれ３個のカムフォロワ１５ａを介して第１のレンズ保持枠１５を光軸方向に移動させるためのカムを形成している。第１の回転筒１８の内周面の３本のカム溝１８ｄは、それぞれ３個のカムフォロワ１６ａを介して第２のレンズ保持枠１６を光軸方向に移動させるためのカムを形成しており、第１の回転筒１８の内周面の３本のカム溝１８ｅは、それぞれ３個のカムフォロワ１４ａを介してシャッタユニット１４を光軸方向に移動させるためのカムを形成している。
【００４０】
すなわち、第１のレンズ保持枠１５の３個のカムフォロワ１５ａは、第１のライナ１９の３本の直進貫通溝１９ｂに挿通係合してさらに第１の回転筒１８の内周面の３本のカム溝１８ｃに係合している。第２のレンズ保持枠１６の３個のカムフォロワ１６ａは、第１のライナ１９の３本の直進貫通溝１９ｃに挿通係合してさらに第１の回転筒１８の内周面の３本のカム溝１８ｄに係合している。シャッタユニット１４の３個のカムフォロワ１４ａは、第１のライナ１９の３本の直進貫通溝１９ｃに挿通係合してさらに第１の回転筒１８の内周面の３本のカム溝１８ｅに係合している。
さらに、第２の回転筒２０の内周面には、第１の回転筒１８の基端部外周のカムフォロワ１８ａに対応する、例えば２本の光軸方向に平行な連動溝２０ｃが設けられている。第２の回転筒２０に設けられている連動溝２０ｃは、第２の回転筒２０と第１の回転筒１８との光軸方向についての相対的な変位を吸収し、且つこれら両者間の相対的な回転を規制する相対的な直進溝を形成している。
【００４１】
第２のライナ２１の内周面には、第１のライナ１９のカムフォロワ１９ａに対応する、例えば２本の直進溝２１ｂおよび第１の回転筒１８のカムフォロワとしてのヘリコイド部１８ｂに対応するカムとしてのヘリコイド部２１ｃが設けられている。第２のライナ２１に設けられているヘリコイド部２１ｃと第１の回転筒１８のヘリコイド部１８ｂとは、互いに係合し、第２のライナ２１に対する第１の回転筒１８の相対的な回転により、第２のライナ２１に対して第１の回転筒１８を進退移動させるヘリコイド機構を形成している。この第２のライナ２１の円筒周面には、第１の回転筒１８のカムフォロワ１８ａを第２の回転筒２０の連動溝２０ｃに係合させるべく挿通するための、２本の斜行する貫通長孔からなる貫通逃げ溝２１ｄが設けられている。また、固定枠２２の内周面には、第２のライナ２１のカムフォロワ２１ａに対応する、例えば３本の光軸方向に平行な直進溝２２ａが設けられるとともに、第２の回転筒２０のカムフォロワとしてのヘリコイド部２０ａに対応するカムとしてのヘリコイド部２２ｂが形成されている。
【００４２】
固定枠２２に設けられている直進溝２２ａは、第２のライナ２１の光軸を中心とする回転を規制し且つ光軸方向についての進退移動を許容する直進溝を形成している。固定枠２２に設けられているヘリコイド部２２ｂと第２の回転筒２０のヘリコイド部２０ａとは、互いに係合し、固定枠２２に対する第２の回転筒２０の回転により、固定枠２２に対して、第２の回転筒２０を進退移動させるヘリコイド機構を形成している。
すなわち、第１のライナ１９のカムフォロワ１９ａは、第２のライナ２１の直進溝２１ｂに係合している。第１の回転筒１８のカムフォロワ１８ａは、第２のライナ２１の貫通逃げ溝２１ｄに挿通係合してさらに第２の回転筒２０の連動溝２０ｃに係合しており、第１の回転筒１８のヘリコイド部１８ｂは、第２のライナ２１のヘリコイド部２１ｃに係合している。第２のライナ２１のカムフォロワ２１ａは、固定枠２２の直進溝２２ａに係合している。第２の回転筒２０のヘリコイド部２０ａは、固定枠２２のヘリコイド部２２ｂに係合している。
【００４３】
したがって、明確には図示していないが、駆動源としてのモータにより駆動されるギヤが、第２の回転筒２０のギヤ部２０ｂに噛合しており、この第２の回転筒２０が回転駆動されると、第２の回転筒２０の外周面のヘリコイド部２０ａと固定枠２２の内周面のヘリコイド部２２ｂとの作用によって、第２の回転筒２０は、回転しながら光軸方向に沿って進退移動する。第２の回転筒２０の回転は、連動溝２０ｃとカムフォロワ１８ａの係合によって第１の回転筒１８に伝達され、第１の回転筒１８は第２の回転筒２０と一体的に回転する。このとき、第２のライナ２１は、カムフォロワ２１ａが固定枠２２の直進溝２２ａに係合して、回転を規制したまま、第２の回転筒２０と一体的に進退移動する。第２のライナ２１の回転が規制されているので、第２の回転筒２０に連動して回転する第１の回転筒１８は、第２のライナ２１に対して相対的に回転することになり、第２のライナ２１の内周面のヘリコイド部２１ｃと第１の回転筒１８の外周面のヘリコイド部１８ｂの作用によって、第１の回転筒１８は、第２のライナ２１に対して相対的に光軸方向に沿って進退移動する。第１のライナ１９は、外周面のカムフォロワ１９ａを第２のライナ２１の内周面の直進溝２１ｂに係合して回転を規制したまま、第１の回転筒１８と一体的に進退移動する。
【００４４】
第１のレンズ保持枠１５は、外周面のカムフォロワ１５ａを第１のライナ１９の直進貫通溝１９ｂに挿通して、回転を規制したまま、第１の回転筒１８のカム溝１８ｃに係合しており、第１の回転筒１８の回転によってカム溝１８ｃに従って光軸方向に移動する。第２のレンズ保持枠１６は、外周面のカムフォロワ１６ａを第１のライナ１９の直進貫通溝１９ｃに挿通して、回転を規制したまま、第１の回転筒１８のカム溝１８ｄに係合しており、第１の回転筒１８の回転によってカム溝１８ｄに従って光軸方向に移動する。同様に、シャッタユニット１４は、外周面のカムフォロワ１４ａを第１のライナ１９の直進貫通溝１９ｃに挿通して、回転を規制したまま、第１の回転筒１８のカム溝１８ｅに係合しており、第１の回転筒１８の回転によってカム溝１８ｅに従って光軸方向に移動する。このような動作によって、沈胴状態から撮影状態への移行および撮影状態から沈胴状態への移行を行う。
【００４５】
したがって、上述における第１のレンズ保持枠１５、第２のレンズ保持枠１６およびシャッタユニット１４は、回転せずに直進進退移動し、第１のライナ１９は回転せずに直進進退移動し、第１の回転筒１８は回転しつつ進退移動し、第２のライナ２１は回転せずに直進進退移動し、第２の回転筒２０は回転しつつ進退移動し、固定枠２２は固定されていて移動しない。なお、第３のレンズ保持枠１７は、図示していないモータおよびギヤ等によって駆動される。
第３のレンズ保持枠１７に関連する構成については、図３に加えて図９〜図１１を参照されたい。第３レンズ保持枠１７は、一端に第３レンズ群１３を保持しており、他端が第３レンズ群１３の光軸と実質的に平行な主ガイド軸３３によって回動可能に且つ主ガイド軸３３に沿ってスライド移動可能に支持されている。第３レンズ保持枠１７は、図４および図９〜図１１に示すように撮影状態において光軸上に第３レンズ群１３を挿入した位置と、図示していないが沈胴収納状態において第３レンズ群１３を固定枠２２の鏡筒から図９における図示左方外部に退避した収納位置との間で主ガイド軸３３を中心として回動する。第３レンズ保持枠１７の回動端側の第３レンズ群１３の近傍には、この場合回動軸側と第３レンズ群１３の支持部側とで主ガイド軸３３に平行な方向における位置を異ならせるクランク状の屈曲部が形成され、該屈曲部からほぼ回動端方向にストッパ１７ａが突設されている。
【００４６】
第３レンズ群１３は、固定枠２２の鏡筒から外部に退避するにあたり、鏡筒の壁部に設けられた開口部を通過する。なお、第３レンズ保持枠１７は、第３レンズ群１３を退避させる位置において、必ずしも固定枠２２の鏡筒から完全に外部に退避している必要はない。
図示していないが、第３レンズ保持枠１７が退避位置にある状態では、リードスクリュー３５に螺合している雌ねじ部材３６は最も像面側に位置している。また、この状態では、圧縮トーションスプリング３７が最もチャージされた状態で、鏡胴背面（像面側）から見て時計方向（光軸への進入方向）のモーメントを常に第３レンズ保持枠１７に与えている。第３レンズ保持枠１７の主ガイド軸３３に支持されている部分の円筒状の外周面には、段差部１７ｂの基端側内面にカム斜面形状のカム部１７ｃが形成されている。この状態から図示していない第３群モータを回転させ、ギヤ等を用いた伝達機構を介してリードスクリュー３５を図９における反時計方向に回転させると、雌ねじ部材３６が光軸方向に沿って被写体側へ移動する。この際には、圧縮トーションスプリング３７によるモーメント力により、第３レンズ保持枠１７が時計方向に回転し、そのカム部１７ｃが雌ねじ部材３６の当接部３６ａに当接係合している。
【００４７】
雌ねじ部材３６をこの状態より、さらに移動すると第３レンズ保持枠１７が、さらに時計方向に回転し、ストッパ１７ａが、図９に示すように、副ガイド軸３４に当接することにより、第３レンズ保持枠１７の光軸上の当接位置が規定される。これにて光軸方向への進入動作が完了する。
すなわち、第３レンズ保持枠１７の段差部１７ｂは、基端側にカム斜面形状をなすカム部１７ｃを有し、前端側に主ガイド軸３３とほぼ垂直に交わる平面を形成している前側係合部１７ｄを有している。第３レンズ保持枠１７は、主ガイド軸３３の周囲に配設された圧縮トーションスプリング３７によって、退避位置から前記光軸上の当接位置へ向かう回動方向に常時付勢されると共に主ガイド軸３３上において物体側から像面側の押さえ部材３１へ向かう方向に常時付勢されている。
次に、雌ねじ部材３６がさらに被写体側へ移動する際には、雌ねじ部材３６の当接部３６ａが前側係合部１７ｄを押圧するので、第３レンズ保持枠１７は、光軸方向に沿って被写体側へ移動することが可能となる。
【００４８】
また、雌ねじ部材３６が図１０の位置から図１１の位置までの間に位置している間は、圧縮トーションスプリング３７によって、光軸方向に沿って像面側に向かって常に押圧されているため、リードスクリュー３５や雌ねじ部材３６と押さえ部材３１等の間に発生する隙間は、総て像面側へ寄せられるので、第３群レンズ保持枠１７は光軸方向についての位置精度を確保できるようになっている。
雌ねじ部材３６は、光軸と実質的に平行に配設されたリードスクリュー３５に螺合し、前述した第３レンズ保持枠１７の段差部１７ｂ内において、前側係合部１７ｄまたはカム部１７ｃに当接する当接部３６ａに加えて、リードスクリュー３５の回転に伴って雌ねじ部材３６が回ってしまわないようにするための回転止めとして、固定枠２２と一体的に形成された光軸方向に平行なガイド部に係合摺動する回転止め部が適宜形成されている（図示せず）。すなわち、雌ねじ部材３６は、固定枠２２に係合して回転が阻止されているので、リードスクリュー３５の回転によって、光軸に沿って進退移動するのである。
【００４９】
雌ねじ部材３６は、図１０の位置よりも、さらに像面側へ移動すると、第３レンズ保持枠１７の段差部１７ｂのカム部１７ｃに当接係合し、第３レンズ保持枠１７が圧縮トーションスプリング３７の光軸方向の付勢により押さえ部材３１等に接触しており、圧縮トーションスプリング３７による図９の時計回動方向の付勢力に抗して第３レンズ保持枠１７を反時計方向に回転させるので、退避動作を行う事が可能となる。
すなわち、リードスクリュー３５の逆回転（図９の時計方向回転）により、雌ねじ部材３６が撮影位置の合焦動作範囲を経て退避開始位置で移動する間は、雌ねじ部材３６の当接部３６ａが係合当接面にて第３レンズ保持枠１７の段差部１７ｂの前側係合部１７ｄに当接しているので、圧縮トーションスプリング３７の光軸上の位置（退避開始位置）への付勢力と像面側への付勢力によって第３レンズ保持枠１７は、副ガイド軸３４に規制された光軸上の位置を維持しつつ物体側から像面側へと漸次移動する。なお、雌ねじ部材３６が退避開始位置に達すると、第３レンズ保持枠１７の基端面１７ｆが押さえ部材３１に当接し、雌ねじ部材３６が前側係合部１７ｄから離間して、段差部１７ｂのカム部１７ｃに当接する。
【００５０】
雌ねじ部材３６が退避開始位置から収納位置まで移動する間は、雌ねじ部材３６の当接部３６ａが第３レンズ保持枠１７の段差部１７ｂのカム部１７ｃに摺接して、第３レンズ保持枠１７を圧縮トーションスプリング３７による回動付勢力に抗して回動させることにより、第３レンズ保持枠１７は、光軸上の位置から収納位置へ回動する。第３レンズ保持枠１７が収納位置へ移動した後、第１レンズ群１１、第２レンズ群１２およびシャッタ／絞りユニット１４の沈胴収納位置への移動が許可される。
【００５１】
なお、押さえ部材３１および前カバー３２（図９）は、それぞれ鏡胴ベース２３および固定枠２２に一体的に固定され、第３レンズ保持枠１７の作動部および収納部となる空間を形成してこれらの部分を覆っており、これらによって、主ガイド軸３３およびリードスクリュー３５の両端が回転可能に支持されている。
第１の板ばね５１は、図２、図３および図４に示されるように、先端側の幅が狭く基端側の幅が広く形成された細長い帯状をなしている。この第１の板ばね５１は、基端部５１ａが直角に折曲されて固定枠２２と一体化される鏡胴ベース２３に固定され、幅の狭い先端側部分５１ｂが基端部と同方向に適宜角度で斜めに折曲され、さらに先端を逆方向に折曲して中間部とほぼ平行の摺接部を形成しさらに最先端部をさらに同方向に折曲して形成されている。第１の板ばね５１の基端部５１ａは、固定枠２２の外側において鏡胴ベース２３に固定されている。第１の板ばね５１の先端側部分５１ｂは、固定枠２２の直進溝２２ａのうちの１つ、この場合、正面被写体側から見て上部に配置された直進溝２２ａの底部に形成された窓部２２ｗを通して、固定枠２２の外側から固定枠内部に入り、撮影状態において、第２のライナ２１のカムフォロワ２１ａの先端を下方に向けて押圧付勢する。第２のライナ２１は、第２の回転筒２０が正面から見て右下のギヤ部２０ｂによって回転駆動されているので、この駆動源方向から第２の回転筒２０と共に押圧されており、第１の板ばね５１の付勢力と合成されて、結果的に正面から見てほぼ左方向に向けて片寄せされる。第１の板ばね５１は、第２のライナ２１が撮影位置にあるときにのみカムフォロワ２１ａに当接し、押圧付勢するように配置されている。
【００５２】
第２の板ばね５２は、図７および図８に示すように、ほぼＴ字形状をなし、Ｔ字形状の両翼部５２ａ、５２ｂおよび脚部５２ｃを同一方向に向けて傾斜し、脚部５２ｃの先端を逆方向に折曲した形状となっている。この第２の板ばね５２は、図２、図３、図５および図６に示すように配置され取り付けられている。図５に示すように、第２のライナ２１には、内側の直進溝２１ｂの１つの底面に対応して窓部２１ｗが形成され、第２のライナ２１の外周面には、この窓部２１ｗにＴ字形状の脚部５２ｃを対応させたときに両翼部５２ａおよび５２ｂに対応して凹部が形成され、この第２のライナ２１と第２の回転筒２０との間で第２の板ばね５２を挟み込んだ際に凹部に両翼部５２ａおよび５２ｂが嵌合するようになっている。このとき、脚部５２ｃは、窓部２１ｗを通して第２のライナ２１の内周面に突出し、第１のライナ１９が撮影位置にあるときにのみカムフォロワ１９ａの先端に当接し、外方から押圧付勢する。第２の板ばね５２は、両翼部５２ａおよび５２ｂのばね力によって第２のライナ２１の外周面の凹部と第２の回転筒２０の内周面との隙間によって挟持されて、第２のライナ２１と一体的に保持される。この場合第２の板ばね５２は、正面から見て左側方から第１のライナ１９を片寄せしている。この第２の板ばね５２も、第１のライナ１９が撮影位置にあるときにのみカムフォロワ１９ａに当接し、押圧付勢するように配置されている。
【００５３】
第３の板ばね５３は、図１２および図１３に示すように、支持面部５３ａの一縁部から帯状部５３ｂを突出させた形状をなし、帯状部５３ｂは、支持面部５３ａから一旦上方にほぼ垂直に立ち上がり、さらに下方に９０°折曲した後再度下方に９０°折曲して、わずかな支持面部５３ａと平行な部分を経て支持面部５３ａの下方に長く延び、先端部をさらに下方に折曲傾斜させた形状となっている。この第３の板ばね５３は、図３、図９、図１０および図１１に示すように配置され取り付けられている。すなわち、第３の板ばね５３支持面部５３ａは前カバー３２の内面に固定され、帯状部５３ｂを撮影状態における第３レンズ保持枠１７に対応させて配置されている。図１０に示すように、第３レンズ保持枠１７が光軸外に退避していた状態から第３レンズ群１３を光軸位置の最も像面側に位置させた状態までは、第３の板ばね５３の帯状部５３ｂは、第３レンズ保持枠１７に接触しておらず。図１１に示されるように、第３レンズ保持枠１７が撮影状態となった時点で、第３の板ばね５３の帯状部５３ｂが第３レンズ保持枠１７に当接し、副ガイド軸３４に強く圧接する方向に押圧付勢するように配置されている。第３レンズ群１３は、この場合フォーカシングレンズとして機能しているので、撮影状態においては、光軸上のある範囲で進退移動することになり、第３の板ばね５３の帯状部５３ｂは、図示のように折曲部にスリットを設けるなどして、この範囲において実質的に均一に押圧するように形成されている。
【００５４】
なお、第３レンズ保持枠１７の主ガイド軸３３の外周部に圧縮トーションスプリング３７が挿入されており、この圧縮トーションスプリング３７によって第３レンズ保持枠１７は光軸へ侵入する方向（副ガイド軸３４に当接する方向）に付勢されているが、図示していない第３群モータにより第３レンズ保持枠１７を退避させる際に、圧縮トーションスプリング３７のトーション付勢力に抗して駆動する必要があり、トーション付勢力をあまり強いものとすることができず、振動等で第３レンズ保持枠１７が副ガイド軸３４から浮いてしまうことを、第３の板ばね５３によって防止することができる。
したがって、上述した第１の板ばね５１、第２の板ばね５２および第３の板ばね５３によって、結果的に撮影レンズ系を光軸を中心として精度良く安定させることができ、高画質を実現することができる。また、撮影位置のみで付勢力を作用させているので、起動・収納時間や電池消耗を最低限に抑えることができ、しかも第１の板ばね５１、第２の板ばね５２および第３の板ばね５３が摺接する部分は、レンズ鏡筒の周面等ではないので外観面に傷を付けることもない。
さらに、上述した、実施の形態のレンズ鏡胴を搭載してディジタルカメラ等のカメラを構成しても良く、携帯型情報端末装置のカメラ機能に実施の形態のレンズ鏡胴を搭載しても良い。
【図面の簡単な説明】
【００５５】
【図１】本発明の一つの実施の形態に係るレンズ鏡胴の外観の構成を示す斜視図である。
【図２】図１のレンズ鏡胴の光軸を通る断面の構成を示す縦断面図である。
【図３】図１のレンズ鏡胴の構成を説明するための分解斜視図である。
【図４】第１の板ばねの配置を説明するため、第３のレンズ保持枠が撮影位置にあるときの図１のレンズ鏡胴の主要な可動部分を像面側から見た斜視図である。
【図５】第２の板ばねの取り付け状態を説明するため、図４の可動部分から最外周の第２の回転筒および第３のレンズ保持枠を除去した状態をやや側方から見た斜視図である。
【図６】第２の板ばねの配置を説明するため、図４から最外周の第２のライナ１９を除去した状態を示す斜視図である。
【図７】第２の板ばねの形状を詳細に示す外側から見た斜視図である。
【図８】第２の板ばねの形状を詳細に示す内側から見た斜視図である。
【図９】第３の板ばねの配置を説明するため、第３のレンズ保持枠が撮影位置にあるときの図１のレンズ鏡胴の固定枠を含む主要な部分を像面側から見た斜視図である。
【図１０】第３の板ばねの配置を説明するため、第３のレンズ保持枠がほぼ撮影位置の後方像面側にあるときの第３のレンズ保持枠の動作に関連する部分の配置構成を示す斜視図である。
【図１１】第３の板ばねの配置を説明するため、第３のレンズ保持枠が撮影位置にあるときの第３のレンズ保持枠の動作に関連する部分の配置構成を示す斜視図である。
【図１２】第３のレンズ保持枠が摺接する面を図示下方とし被写体側を図示右方として第３の板ばねの形状を詳細に示す斜視図である。
【図１３】第３のレンズ保持枠が摺接する面を図示下方とし被写体側を図示左方として第３の板ばねの形状を詳細に示す斜視図である。
【符号の説明】
【００５６】
１１  第１のレンズ群
１２  第２のレンズ群
１３  第３のレンズ群
１４  シャッタユニット
１５  第１のレンズ保持枠
１６  第２のレンズ保持枠
１７  第３のレンズ保持枠
１８  第１の回転筒
１９  第１のライナ
２０  第２の回転筒
２１  第２のライナ
２２  固定枠
２３  鏡胴ベース
３１  押さえ部材
３２  前カバー
３３  主ガイド軸
３４  副ガイド軸
３５  リードスクリュー
３６  雌ねじ部材
３７  圧縮トーションスプリング
４１  固体撮像素子
５１  第１の板ばね
５２  第２の板ばね
５３  第３の板ばね
【図１】
0004730956.tif 000002
【図２】
0004730956.tif 000003
【図３】
0004730956.tif 000004
【図４】
0004730956.tif 000005
【図５】
0004730956.tif 000006
【図６】
0004730956.tif 000007
【図７】
0004730956.tif 000008
【図８】
0004730956.tif 000009
【図９】
0004730956.tif 000010
【図１０】
0004730956.tif 000011
【図１１】
0004730956.tif 000012
【図１２】
0004730956.tif 000013
【図１３】
0004730956.tif 000014